【手続補正書】
【提出日】平成28年10月21日(2016.10.21)
【手続補正１】
【補正対象書類名】明細書
【補正対象項目名】発明の名称
【補正方法】変更
【補正の内容】
【発明の名称】図形表示装置、図形表示方法およびプログラム
【手続補正２】
【補正対象書類名】明細書
【補正対象項目名】０００１
【補正方法】変更
【補正の内容】
【０００１】
本発明は、図形の変化を表示させるのに適した図形表示装置、図形表示方法およびその制御プログラムに関する。
【手続補正３】
【補正対象書類名】明細書
【補正対象項目名】０００９
【補正方法】変更
【補正の内容】
【０００９】
本発明は、このような課題に鑑みなされたもので、図形を変化させるパラメータの変化範囲を非常に簡単に変更することが可能になる図形表示装置、図形表示方法およびその制御プログラムを提供することを目的とする。
【手続補正４】
【補正対象書類名】明細書
【補正対象項目名】００１０
【補正方法】変更
【補正の内容】
【００１０】
本発明に係る図形表示装置は、表示部と、前記表示部に図形を表示させる図形表示制御手段と、前記図形表示制御手段により表示された図形の形状を決定するための設定値をユーザのタッチ操作に応じて変化させるための操作表示体を前記表示部に表示させる操作表示体表示制御手段と、前記操作表示体表示制御手段により表示された操作表示体のユーザ操作に応じて変更された設定値に応じて前記表示部に表示された図形の形状を変化させて表示させる図形変化表示制御手段と、前記操作表示体による前記図形の設定値の変化範囲をユーザ操作に応じて変更する設定値範囲変更制御手段と、を備えたことを特徴としている。
【手続補正５】
【補正対象書類名】特許請求の範囲
【補正対象項目名】全文
【補正方法】変更
【補正の内容】
【特許請求の範囲】
【請求項１】
表示部と、
前記表示部に図形を表示させる図形表示制御手段と、
前記図形表示制御手段により表示された図形の形状を決定するための設定値をユーザのタッチ操作に応じて変化させるための操作表示体を前記表示部に表示させる操作表示体表示制御手段と、
前記操作表示体表示制御手段により表示された操作表示体のユーザ操作に応じて変更された設定値に応じて前記表示部に表示された図形の形状を変化させて表示させる図形変化表示制御手段と、
前記操作表示体による前記図形の設定値の変化範囲をユーザ操作に応じて変更する設定値範囲変更制御手段と、
を備えたことを特徴とする図形表示装置。
【請求項２】
前記操作表示体による前記図形の設定値の変化範囲の最小値に対応する図形と前記図形の設定値の変化範囲の最大値に対応する図形との少なくともいずれか一方を前記図形変化表示制御手段により前記表示部に表示されている図形とは識別して表示させる変化範囲対応図形識別表示制御手段を備えた、
ことを特徴とする請求項１に記載の図形表示装置。
【請求項３】
前記操作表示体表示制御手段は、前記操作表示体に対応づけて前記設定値の変化範囲の最小値と最大値とを表示し、
前記操作表示体による前記図形の設定値の変化範囲の最小値と最大値とをそれぞれ別の表示形態で識別表示させる最小最大値識別表示制御手段を備え、
前記変化範囲対応図形識別表示制御手段は、前記最小最大値識別表示制御手段により識別表示された前記最小値の表示形態と前記最大値の表示形態とに対応させた表示形態で当該最小値に対応する図形と当該最大値に対応する図形とを識別表示させる、
ことを特徴とする請求項２に記載の図形表示装置。
【請求項４】
前記設定値範囲変更制御手段は、前記操作表示体による前記図形の設定値の変化範囲をユーザの複数のタッチ位置間の広げられた距離に応じて広げて変更し、ユーザの複数のタッチ位置間の狭められた距離に応じて狭めて変更する第１の変更手段を有する、
ことを特徴とする請求項１ないし請求項３の何れか１項に記載の図形表示装置。
【請求項５】
前記設定値範囲変更制御手段は、前記操作表示体による前記図形の設定値の変化範囲を、ユーザの２点のタッチ位置の一方が固定され他方が広げられた場合は当該一方のタッチ位置に対応する前記変化範囲の最小値または最大値を固定し他方のタッチ位置に対応する前記変化範囲の最大値または最小値をその広げられた距離に応じて大きく変更し、前記ユーザの２点のタッチ位置の一方が固定され他方が狭められた場合は当該一方のタッチ位置に対応する前記変化範囲の最小値または最大値を固定し他方のタッチ位置に対応する前記変化範囲の最大値または最小値をその狭められた距離に応じて小さく変更する第２の変更手段を有する、
ことを特徴とする請求項１ないし請求項４の何れか１項に記載の図形表示装置。
【請求項６】
前記設定値範囲変更制御手段は、前記操作表示体による前記図形の設定値の変化範囲を、ユーザのタッチ位置が前記変化範囲の変化方向に対応する一方向または他方向に移動された場合に当該変化範囲の最小値と最大値を共に小さくまたは大きく変更する第３の変更手段を有する、
ことを特徴とする請求項１ないし請求項５の何れか１項に記載の図形表示装置。
【請求項７】
前記操作表示体による前記図形の設定値の変化範囲に対応する方向と直交する一方向または他方向にユーザのタッチ位置が移動された場合に、当該操作表示体のユーザ操作に応じた前記設定値の単位変化幅を大きくまたは小さく変更する変化幅変更手段を備えた、
ことを特徴とする請求項１ないし請求項６の何れか１項に記載の図形表示装置。
【請求項８】
前記操作表示体は、前記図形の設定値の変化範囲内をユーザ操作に応じて移動して当該設定値を前記単位変化幅ずつ変化させる操作子を有し、
前記変化幅変更手段により変更された前記設定値の単位変化幅に対応して前記操作子の幅を変更する操作子幅変更手段を備えた、
ことを特徴とする請求項７に記載の図形表示装置。
【請求項９】
前記図形はグラフ図形であって、
前記図形の設定値は、前記グラフ図形に対応した関数式に含まれる係数の設定値である、
ことを特徴とする請求項１ないし請求項８の何れか１項に記載の図形表示装置。
【請求項１０】
前記図形の設定値は、当該図形の測定可能な図形部分の設定値である、
ことを特徴とする請求項１ないし請求項８の何れか１項に記載の図形表示装置。
【請求項１１】
表示部とタッチパネルを備えた電子機器の図形表示方法であって、
前記表示部に図形を表示させる図形表示制御ステップと、
前記図形表示制御ステップにより表示された図形の形状を決定するための設定値をユーザのタッチ操作に応じて変化させるための操作表示体を前記表示部に表示させる操作表示体表示制御ステップと、
前記操作表示体表示制御ステップにより表示された操作表示体のユーザ操作に応じて変更された設定値に応じて前記表示部に表示された図形の形状を変化させて表示させる図形変化表示制御ステップと、
前記操作表示体による前記図形の設定値の変化範囲をユーザ操作に応じて変更する設定値範囲変更制御ステップと、
からなる図形表示方法。
【請求項１２】
表示部とタッチパネルを備えた電子機器のコンピュータを制御するためのプログラムであって、
前記コンピュータを、
前記表示部に図形を表示させる図形表示制御手段、
前記図形表示制御手段により表示された図形の形状を決定するための設定値をユーザのタッチ操作に応じて変化させるための操作表示体を前記表示部に表示させる操作表示体表示制御手段、
前記操作表示体表示制御手段により表示された操作表示体のユーザ操作に応じて変更された設定値に応じて前記表示部に表示された図形の形状を変化させて表示させる図形変化表示制御手段、
前記操作表示体による前記図形の設定値の変化範囲をユーザ操作に応じて変更する設定値範囲変更制御手段、
として機能させるためのコンピュータ読み込み可能なプログラム。